(57)【要約】【課題】  風呂釜の湯水循環用配管内に紐体を簡単且つ迅速に通すことができ、また価格も安価に抑えることができるようにする。【解決手段】  本考案は、風呂釜１の湯水循環用配管２の全長よりも長い線状材３と、この線状材３の途中に取り付ける掃除部４とで形成する。この場合、線状材３を、屈曲性を有する棒状材で形成する。掃除部４は、線状材３に硬質性の繊維材６を放射状に束ねて棒形のたわし状に形成するのが好ましい。また本発明は、繊維材６を、長い繊維材６ａと短い繊維材６ｂの二種類で形成し、短い繊維材６ｂを長い繊維材６ａより線状材３の周りに均等状態で多量に束ねるのが好ましい。【選択図】      図１
0003112403.tif 000002
【実用新案登録請求の範囲】
【請求項１】
風呂釜の湯水循環用配管の全長よりも長い線状材と、この線状材の途中に取り付けられている掃除部とで形成され、線状材を配管内に通し、配管外に露出する線状材の端部を交互に引いて掃除部を配管内で摺動させ、配管内に付着している汚れを擦り取る風呂釜用清掃具であって、上記の線状材が、屈曲性を有する棒状材で形成されていることを特徴とする風呂釜用清掃具。
【請求項２】
請求項１記載の風呂釜用清掃具であって、掃除部は、線状材に硬質性の繊維材が放射状に束ねられて棒形のたわし状に形成されていることを特徴とする風呂釜用清掃具。
【請求項３】
請求項２記載の風呂釜用清掃具であって、繊維材が、長い繊維材と短い繊維材の二種類で形成され、短い繊維材が長い繊維材より線状材の周りに均等状態で多量に束ねられていることを特徴とする風呂釜用清掃具。
【考案の詳細な説明】
【技術分野】
【０００１】
本考案は、風呂釜用清掃具に関し、更に詳しくは浴槽内に開口する風呂釜の湯水取り入れ口と湯の沸き出し口から露出する線状材を交互に引き合い、この線状材の途中に取り付けた掃除部で風呂釜の湯水循環用配管内を掃除できるよう形成した風呂釜用清掃具に関するものである。
【背景技術】
【０００２】
従来、この種の清掃具としては、例えば風呂釜の湯水循環用配管の全長よりも長い紐体と、この紐体の一端部に固定した浮き子と、また循環用配管の管径よりも若干大きな外形を有する駒状のスポンジ部材とでなる拭き体とで形成し、この拭き体を紐体の他端部側に複数隔離配置して固定しているものがある（例えば特許文献１参照）。
【０００３】
ところでこの種の清掃具は、使用する際に、風呂釜の湯水循環用配管内に紐体を差し入れ、湯水取り入れ口と、湯の沸き出し口から紐体の各端部を露出させる必要がある。従ってこの種の清掃具は、この種の作業を、簡単、容易、且つ迅速にできるよう形成されているのが望ましい。
【０００４】
しかるに従来品は、先ず紐体の先端の浮き子を下側の温水循環口から配管内に差し入れ、次に手動式ポンプで水圧をかけてこの浮き子を上側の温水循環口から排出させ、これにより紐体を配管内に通し、拭き体を配管内に配置するものであった。従って従来品によると、風呂釜の湯水循環用配管内に紐体を通す作業が面倒で、手間暇がかかり、またポンプが必要になる分、コストが高く付くことになるのを避けられなかった。
【特許文献１】実用新案登録第３０９７３７５号公報
【考案の開示】
【考案が解決しようとする課題】
【０００５】
本考案は、このような従来品の問題点に鑑み、提案されたものである。
従って本考案が解決しようとする技術的課題は、風呂釜の湯水循環用配管内に紐体を簡単且つ迅速に通すことができ、また価格も安価に抑えることができるよう形成した、使い勝手の良い風呂釜用清掃具を提供することにある。
【課題を解決するための手段】
【０００６】
本考案は、上記の課題を解決するため、次のような技術的手段を採る。
即ち本考案の清掃具は、図１等に示されるように、風呂釜１の湯水循環用配管２の全長よりも長い線状材３と、この線状材３の途中に取り付けられている掃除部４とで形成され、線状材３を配管２内に通し、配管２外に露出する線状材３の端部を交互に引いて掃除部４を配管２内で摺動させ、配管２内に付着している汚れを擦り取る風呂釜用清掃具であって、上記の線状材３が、屈曲性を有する棒状材で形成されていることを特徴とする（請求項１）。
【０００７】
ここで、屈曲性を有するとは、線状材３を順次手送りすると、それに連れて湯水循環用配管２内を進入して行くことが可能な硬さと曲げ性を有する、ということを意味し、具体的には柔軟な銅等の金属材や、この種の金属材を芯材として被覆しているケーブル、或いはゴム材や樹脂材等がある。
【０００８】
本発明の場合、掃除部４は、線状材３に硬質性の繊維材６が放射状に束ねられて棒形のたわし状に形成されているのが好ましい（請求項２）。
なぜならこれによると、硬質性の繊維材６の先端が配管２内の汚れを掻き取り、こびり付いているしつこい汚れでも綺麗に除去できるからである。ここで、硬質性の繊維材６としては、例えば棕櫚や椰子の繊維、或いは硬質樹脂繊維等がある。
【０００９】
また請求項２記載の本発明品は、繊維材６が、長い繊維材６ａと短い繊維材６ｂの二種類で形成され、短い繊維材６ｂが長い繊維材６ａより線状材３の周りに均等状態で多量に束ねられているのが好ましい（請求項３）。
なぜならこれによると、例えば配管２の径が短い繊維材６ｂの長さの範囲内の場合は、量の多い短い繊維材６ｂで配管２内面の汚れを強く確実に掻き取り、長い繊維材６ａで極め細かく仕上げることができ、また長い繊維材６ａが短い繊維材６ｂに先んじて汚れを浮かし、一層、確実且つ綺麗に清掃できるからである。
【考案の効果】
【００１０】
本考案は、このように配管内に通す線状材が、屈曲性を有する棒状材で形成されている。
従って本考案を使用すれば、湯水循環用配管内に線状材や掃除部を通し易くなり、この種の準備作業を簡単、迅速にでき、また従来品のようなポンプを省略できるから、その分、価格を安価に抑えることができる。
【考案を実施するための最良の形態】
【００１１】
以下、本考案の好適な一実施形態を添付図面に従って説明する。
１は風呂釜であり、２はこの風呂釜１の湯水循環用配管である。３は、この配管２の全長よりも長い線状材である。本考案は、この線状材３と、この線状材３の途中に取り付けられている掃除部４とで形成され、線状材３を配管２内に通し、配管２外に露出する線状材３の端部を交互に引いて掃除部４を配管２内で摺動させ、配管２内に付着している汚れを擦り取る風呂釜用清掃具である。
【００１２】
上記の線状材３は、屈曲性を有する棒状材で形成されている。この線状材３は、この実施形態ではケーブルで形成され、一端３ａは手指を入れたり、延長紐５の先端５ａを挿通可能に輪状に形成され、他端３ｂには延長紐５の基端５ｂが連結されている。
【００１３】
また上記の掃除部４は、線状材３に硬質性の繊維材６としての椰子繊維が放射状に束ねられて棒形のたわし状に形成されている。繊維材６は、図２に示されるように、長い繊維材６ａと短い繊維材６ｂの二種類で形成され、短い繊維材６ｂが長い繊維材６ａより線状材３の周りに均等状態で多量に束ねられている。なお７は浴槽８内に開口する、風呂釜１の湯水取り入れ口であり、９は湯の沸き出し口である。また１０（図３等参照）は、風呂釜１から浴槽８に湯水を供給するための水栓である。
【００１４】
次に本考案の使用例を説明する。
先ず使用者は、線状材３の一端３ａを、風呂釜１の湯水取り入れ口７から湯水循環用配管２内に差し入れ、この一端３ａが湯の沸き出し口９から露出するよう、線状材３を手送りして行く。本考案の場合、線状材３は屈曲性を有する棒状材で形成されているから、線状材３を手送りするのに連れ、掃除部４は循環用配管２内に順次押し込まれる。
【００１５】
次に使用者は、線状材３の一端３ａが沸き出し口９から露出したら、この一端３ａを一方の手で把持し、湯水取り入れ口７側の他端３ｂを他方の手で持って、交互に引き合う。この場合、一端３ａまたは他端３ｂを過って湯水循環用配管２内に引き込むことがあっても、線状材３の他端３ｂに延長紐５が連結されているため、直ぐに引き出すことができる。なおこの場合、使用者は、延長紐５の先端５ａを一端３ａの輪に通し、延長紐５を整然と始末して置くのが良い。而して使用者が線状材３の一端３ａと他端３ｂを交互に引き合うと、掃除部４が配管２内で摺動する。これにより、配管２の内壁に付着している湯垢や髪の毛等の汚物が、剥離され除去される。
【００１６】
以上の処において、本考案は、上記の延長紐５が省略され、線状材３が延長紐５に代わるぐらい長い状態に形成されているのでも良い。
また本考案の場合、線状材３は、両端に手指を入れて引き易くなるよう、一端３ａ及び他端３ｂがリング状に形成されているのが好ましいが、これに限定されるものではない。
また本考案は、掃除部４を形成する繊維材６を、硬軟二種類の繊維で形成するのでも良く、更に掃除部４の外形は棒形のたわし状に限定されるものではない。
【図面の簡単な説明】
【００１７】
【図１】本考案清掃具の使用状態時の風呂釜の要部横断面図である。
【図２】同上清掃具の正面図である。
【図３】同上清掃具の使用状態時の浴槽の縦断面図である。
【図４】同上清掃具の使用状態時の浴槽の平面図である。
【符号の説明】
【００１８】
１      風呂釜
２      湯水循環用配管
３      線状材
３ａ    一端
３ｂ    他端
４      掃除部
５      延長紐
５ａ    先端
５ｂ    基端
６      繊維材
６ａ    長い繊維材
６ｂ    短い繊維材
７      湯水取り入れ口
８      浴槽
９      湯の沸き出し口
１０    水栓
【図１】
0003112403.tif 000003
【図２】
0003112403.tif 000004
【図３】
0003112403.tif 000005
【図４】
0003112403.tif 000006